(57)【要約】【課題】折版屋根を二重折版屋根に改修するときに、既存の軒樋を移動させることなくそのまま利用でき、また、既存折版屋根材の軒側の端部が補強され、腐食から守られて長持ちするという効果もある二重折版屋根の軒先部の構造を提供する。  そして、軒先部分を施工する際は、足場を設置しなくても作業ができる二重折版屋根の軒先部の構造を提供する。【解決手段】二重折版屋根の、下段の折版屋根材の軒樋が取り付けられている部分には、軒先カバー材が被せられている。 軒先カバー材は、下段の折版屋根材の山部と谷部に沿って該山部と谷部を覆う形状であり、軒先カバー材の軒側の端部には、裏面側に折り返されて形成された折り返し部が設けられている。【選択図】図２
2005336724.tif 000002
【特許請求の範囲】
【請求項１】
軒先カバー材は、
下段の折版屋根材の山部と谷部に沿って該山部と谷部を覆う形状であり、
軒先カバー材の軒側の端部には、
裏面側に折り返されて形成された折り返し部が設けられており、
下段の折版屋根材の上に上段の折版屋根材が葺かれている二重折版屋根の、
下段の折版屋根材の少なくとも軒樋が取り付けられている部分には、
前記軒先カバー材が被せられており、
該軒先カバー材の折り返し部が下段の折版屋根材の軒側の端部に引っ掛かっている
二重葺き折版屋根の軒先部の構造。
【発明の詳細な説明】
【技術分野】
【０００１】
本発明は、二重葺き折版屋根の軒先部の構造に関するものである。
【背景技術】
【０００２】
従来の技術について、図７に基づいて説明する（特許文献１参照）。この二重葺き折版屋根の構造は、下段の折版屋根材２aの上に断熱材９を敷いて、その上に上段の折版屋根材５aを葺いた二重葺き折版屋根である。図に見られるように、上段の折版屋根材５aの軒側は、下段の折版屋根材２aの軒側の端部よりもさらに軒側に突き出ている。
【０００３】
図８は、他の従来の技術を表している（特許文献２参照）。これは、特許第２８９９４９４号公報に示されている既設屋根の改修工法で、既設屋根材２ｂの上に新設折版屋根材５が葺かれている。
この場合の軒先部の構造も、新設折版屋根材５の軒側は、既設屋根材２ｂの軒側の端部よりもさらに軒側に突き出ている。
図示してはいないが、既存の軒樋は取り除いて、新設の軒樋を取り付けるのである。
【０００４】
いずれの構造も、上段の折版屋根材の軒側の端部は、下段の屋根材の軒側の端部よりもさらに軒側に突き出ている。このような軒先部の構造は、折版屋根を二重葺きに改修する際の従来の構造としてよく知られているものである。
この軒先部の構造を用いて折版屋根を二重葺きに改修すると、新設の折版屋根材の軒側の端部が既存の折版屋根材の軒側の端部よりもさらに軒側に突き出ているため、既存の軒樋を取り除いて、適切な位置に軒樋を取り付けなくてはならない。既存の軒樋は、既存の折版屋根材の谷部から落ちる雨水を受け止める位置に設定されているからである。
また、図９のように、折版屋根材２ｃの谷部Ｔに軒樋用穴Ｂをあけて、その下に軒樋４aを設置することで、軒樋４aを積雪の荷重から保護する構成の折版屋根もある。
このような折版屋根の場合、前述の軒先部の構造を用いて二重葺きに改修すると、やはり、軒樋４aを取り除いて、適切な位置に軒樋を取り付けなくてはならない。
【０００５】
このように、従来の二重葺き折版屋根の軒先部の構造では、その構造を用いて折版屋根を改修する場合、既存の軒樋を取り除いて新たに設置するという手間がかかり、また、取り除いた既存の軒樋は、再使用できない場合は廃棄しなくてはならない。
【０００６】
他の従来の技術として、図１０〜図１２に基づいて説明する（特許文献３参照）。これは特開平１０−１３１４１２号公報に示されている、既存の軒樋を利用することができる軒先部の構造の先行技術である。折版屋根の改修工法ではなく、スレート屋根の改修に関するものである。
【０００７】
この軒先部の施工方法は、図１０にあるように、スレート屋根材である既設屋根材２ｂの軒先部分には新設表面材を葺かずに、軒先包みＮをかぶせる。この軒先包みＮは、図１１に示したように断面略コの字形に鋼板を折曲形成したものである。これを既設屋根材２ｂの軒先部分にかぶせて、図１２のように施工するのである。
このような構成のため、特開平１０−１３１４１２号公報の記載によると「屋根材の軒先の高さが改修前と変わらないため、雨水は、新設屋根材の軒先端から軒先包みの表面に落下し、この表面を伝って既存の軒樋に流れ込む。よって、従来のごとく既存の軒樋を取り外して取り付け直す必要がない。」という効果がある。
【０００８】
しかし、この軒先部の構造を用いて折版屋根を改修すると、既存の軒樋を取り除いて、適切な位置に軒樋を取り付ける作業が必要となる。その理由を説明する。
既存の軒樋は、既存折版屋根材の谷部から流れてくる雨水を受け止める位置に設置されている。
スレート屋根とは異なり、折版屋根材の谷部から山部までの高さは１５０mm〜１８０mmほどあるものもあり、図１０〜図１２に示した方法で軒先包みＮを既存折版屋根材の軒先にかぶせると、軒先包みＮの上面の高さは既存折版屋根材の山部の高さになり、谷部よりも１５０mm〜１８０mmほど高い位置になってしまう。雨水は、新設屋根材の軒先端から軒先包みＮの表面に落下し、この表面を伝って流れ落ちるので、既存の折版屋根材の谷部よりも１５０mm〜１８０mmほど高い位置から流れ落ちることになる。したがって、既存の折版屋根材の谷部から流れてくる雨水を受け止める位置に設置されている既存の軒樋では、その雨水を受け止めることができず、雨水は、既存の軒樋を飛び越えて流れ落ちてしまう。
このため、既存の軒樋を取り除いて、適切な位置に軒樋を取り付ける作業が必要となるのである。
【０００９】
また、図１０に示されている軒先部の構造を用いて折版屋根を二重折版屋根に改修する際、足場を設置する必要が生じる。
折版屋根材の谷部から山部までの高さは、１５０mm〜１８０mmほどのものもあるので、軒先包みＮを既存折版屋根材の軒先に被せた場合、軒先包みＮの下辺を既存折版屋根材に、止着具等で固定する必要がある。もし固定しないならば、軒先包みＮの下辺が風であおられてしまうからである。この作業を行なうためには足場を作らなくてはならない。
もちろん、図７や図８に示した軒先部の構造も、作業のための足場を必要とする。
【特許文献１】実開平３−１１７０３３号公報
【特許文献２】特許２８９９４９４号公報
【特許文献３】特開平１０−１３１４１２号公報
【発明の開示】
【発明が解決しようとする課題】
【００１０】
解決しようとする問題点は、従来の軒先部の構造を用いて折版屋根を二重折版屋根に改修すると、既存の軒樋を取り除いて、適切な位置に軒樋を取り付ける作業が必要となる点である。
また、普通、折版屋根材は、図７に見られるように、軒先において端面（鋼板の切断面）があらわになっている。このため、端面が雨水に晒されるので、既存折版屋根材の軒側の端部が腐食等によって傷んでいることがある。
加えて、軒先部分を施工する際、足場を作る必要があったが、足場は作業のために一時的に必要なだけで、作業が終われば撤去するものである。この設置及び撤去の作業にも、手間や経費がかかってしまう。
本発明は、折版屋根を二重折版屋根に改修するときに、既存の軒樋を移動させることなくそのまま利用でき、また、既存折版屋根材の軒側の端部が補強され、腐食から守られて長持ちするという効果もある二重折版屋根の軒先部の構造を提供する。
そして、軒先部分を施工する際は、足場を設置しなくても作業ができる二重折版屋根の軒先部の構造を提供する。
【課題を解決するための手段】
【００１１】
本発明にかかる二重折版屋根の軒先部の構造は、下段の折版屋根材の上に上段の折版屋根材が葺かれている二重折版屋根の、下段の折版屋根材の少なくとも軒樋が取り付けられている部分には、上段の折版屋根材が葺かれておらず、軒先カバー材が被せられている。
軒先カバー材は、下段の折版屋根材の山部と谷部に沿って該山部と谷部を覆う形状であり、下段の折版屋根材の山部に沿って該山部を覆う形状のカバー材山部と、下段の折版屋根材の谷部に沿って該谷部を覆う形状のカバー材谷部とが形成されている。
そして、軒先カバー材の軒側の端部には、裏面側に折り返されて形成された折り返し部が設けられているが、下段の折版屋根材の軒側の端部に引っ掛かるように形成されている。
この軒先カバー材が、下段の折版屋根材の少なくとも軒樋が取り付けられている部分に被せられているが、軒先カバー材の折り返し部が、下段の折版屋根材の軒側の端部に引っ掛かっており、軒先カバー材が下段の折版屋根材の山部と谷部に沿って該山部と谷部を覆うよう被せられている。
この二重葺き折版屋根の軒先部の構造を用いることで、前述の課題を解決する。
【発明の効果】
【００１２】
本発明にかかる二重折版屋根の軒先部の構造は、前述の通り、下段の折版屋根材の軒樋が取り付けられている部分には、上段の折版屋根材が葺かれておらず、軒先カバー材が被せられている。そして、軒先カバー材は、下段の折版屋根材の山部と谷部に沿って該山部と谷部を覆う形状であるため、軒先カバー材を流れ落ちる雨水は、下段の折版屋根材の谷部から流れ落ちるときとほとんど同じ高さから流れ落ちることになる。
この二重折版屋根の軒先部の構造をもってして、折版屋根を二重折版屋根に改修した場合、雨水は、既存折版屋根材の谷部とほぼ同じ高さの軒先カバー材を流れ落ちるので、既存折版屋根材の谷部から流れ落ちるときと同じように既存の軒樋に受け止められる。したがって、既存の軒樋を取り除く必要が無く、そのまま利用できるものである。
【００１３】
図９に示した折版屋根の場合も、本発明に係る二重折版屋根の軒先部の構造を用いて二重折版屋根に改修すると、既存の軒樋を取り除く必要が無く、そのまま利用できる。
折版屋根材２ｃの軒樋用穴Ｂがあけられている箇所に相当する軒先カバー材の箇所に、軒樋用穴Ｂと同様の穴をあけ、折版屋根材２ｃに軒先カバー材を被せたときに、折版屋根材２ｃの軒樋用穴Ｂに軒先カバー材にあけた穴が重なるようにする。
そうすると、折版屋根材２ｃの軒側の端部に、軒先カバー材の折り返し部を引っ掛けて固定したときに、折版屋根材２ｃの軒樋用穴Ｂに軒先カバー材の穴を重ねて被せることができる。
軒先カバー材の穴と折版屋根材２ｃの軒樋用穴Ｂが重なっていることで、軒樋用穴Ｂから雨水が軒樋に流れ込む。したがって、既存の軒樋をそのまま利用することができるものである。
【００１４】
さらに、本発明に係る二重折版屋根の軒先部の構造を用いて、既存の折版屋根を二重折版屋根に改修するならば、既存折版屋根材の軒側の端部が補強され、又、腐食から守られて長持ちするという効果もある。この点を説明する。
普通、折版屋根材は軒先において端面（鋼板の切断面）があらわになっている。このため、端面が雨水に晒されるので、既存折版屋根材の軒側の端部が腐食等によって傷んでいることがある。
本発明に係る二重折版屋根の軒先部の構造は、この軒側の端部に軒先カバー材を被せるが、単に載せて被せるのではなく、軒先カバー材の折り返し部を既存折版屋根材の軒側の端部に引っ掛ける構成である。つまり、軒先カバー材の折り返し部に既存折版屋根材の軒側の端部が包み込まれる。このため、既存折版屋根材の軒側の端部が傷んでいても、軒先カバー材によって補強され、見栄えもよくなる。
また、本発明の軒先カバー材の折り返し部の端面は、既存折版屋根材の裏側に位置する。雨水は折り返し部の折り曲げられた部分から落ちるので、折り返し部の端面は雨水に晒されないですむ。このため、端面が雨に晒されて腐食するという問題を防ぐことができ、その結果長持ちするという効果もある。
【００１５】
さて、従来の技術では足場を作る必要があったが、足場は改修作業のために一時的に必要なだけで、作業が終われば撤去するものである。この設置及び撤去の作業にも、手間や経費がかかってしまうという問題点があった。
ところで、折版屋根の勾配は一般に緩いものである。本発明に係る二重折版屋根の軒先部の構造を用いて、一般的な勾配の緩い折版屋根を二重折版屋根に改修するならば、軒先部分を施工する際、足場を作らずに施工することができる。その点を説明する。
前述のように構成された軒先カバー材を、既存折版屋根材の軒先部分に被せるが、この被せる作業をする際、作業者は既存の折版屋根にのぼり、命綱等で安全を確保する。そして、既存折版屋根材の軒側の端部に軒先カバー材の折り返し部を引っ掛けて、軒先カバー材が下段の折版屋根材の山部と谷部に沿って該山部と谷部を覆うよう被せる。
このように、軒先カバー材の折り返し部を既存折版屋根材の軒側の端部に引っ掛けて被せる構成であるため、作業者が既存の折版屋根にのぼって作業することができ、勾配が緩い一般的な折版屋根の軒先部分を施工する際、命綱等で安全を確保すればよく、足場を設置しなくても作業ができるものである。
【００１６】
一方、図１０に示されている軒先部の構造を用いて折版屋根を二重折版屋根に改修するすると、前述の通り、軒先包みＮの下辺を既存折版屋根材に、止着具等で固定する必要があり、この作業を行なうためには足場を作らなくてはならない。
本発明に係る二重折版屋根の軒先部の構造は、軒先カバー材が下段の折版屋根材の山部と谷部に沿って該山部と谷部を覆う形状であり、その軒側の端部に折り返し部が設けられ、これが下段の折版屋根材の軒側の端部に引っ掛かるため、折り返し部を止着具等で固定する必要はないのである。
したがって、図１０の従来の技術のように、軒先包みＮの下辺を既存折版屋根材に止着具等で固定する作業を必要とせず、そのための足場が必要になることもない。
【実施例１】
【００１７】
本発明にかかる二重折版屋根の軒先部の構造は、下段の折版屋根材の少なくとも軒樋が取り付けられている部分には、上段の折版屋根材が葺かれておらず、軒先カバー材が被せられている。
たとえば、下段の折版屋根材と上段の折版屋根材との間には断熱材を入れることが多いが、断熱材は屋内の保温を目的としているので、軒桁よりも屋内側（天井裏）に入れる。そのため、上段の折版屋根材は軒桁よりも軒先側には必要ないので、その部分に軒先カバー材を被せる。
本実施例の軒先カバー材の流れ方向幅についていうと、その上に作業者が乗って作業することができる幅を有している。軒側端部からの幅を、作業者が乗って作業することができる幅とすることで、後述するとおり、足場を作らずに新設折版屋根材等を施工できるという効果をも生じる。
この軒先カバー材は、上段の折版屋根材と同じ鋼板で作ったものでもよく、あるいは他の材料でもよい。
軒先カバー材の形状は、下段の折版屋根材の形状とほぼ同じ形状をしているが、下段の折版屋根材は、重ね形折版屋根やはぜ締め形折版屋根、嵌合形折版屋根等、様々な形状がある。軒先カバー材は、下段の折版屋根材の形状に合わせて形成されており、下段の折版屋根材の山部に沿って該山部を覆う形状のカバー材山部と、下段の折版屋根材の谷部に沿って該谷部を覆う形状のカバー材谷部とが形成されている。
そして、軒先カバー材の軒側の端部には、裏面側に折り返されて形成された折り返し部が設けられているが、下段の折版屋根材の軒側の端部に引っ掛かるように形成されている。
この軒先カバー材が、下段の折版屋根材の少なくとも軒樋が取り付けられている部分に被せられているが、軒先カバー材の折り返し部が、下段の折版屋根材の軒側の端部に引っ掛かっており、カバー材山部が下段の折版屋根材山部の上に、カバー材谷部が下段の折版屋根材谷部の上に位置するよう、被せられている。
上段の折版屋根材の葺き方は従来の方法でよく、軒先カバー材と上段の折版屋根材の間に開口する部分は、面戸等で覆われる。
この二重折版屋根の軒先部の構造を用いて、既存のはぜ締め形折版屋根を二重折版屋根に改修する一実施例について、図１〜図５に基づき説明する。
図１は軒先カバー材１の一部切り欠き斜視図、図２は軒先カバー材１と既存折版屋根材２と新設折版屋根材５の関わりを示す説明図、図３は二重折版屋根の軒先部の構造を表す斜視図、図４は図３の一部を拡大した図、図５は施工時に作業者の安全を図るためのアングルＣを取り付けた様子を表す図である。
【００１８】
まず、軒先カバー材１について説明する。
軒先カバー材１は、下段の折版屋根材である既存折版屋根材２の山部と谷部に沿って該山部と谷部を覆う形状であり、既存折版屋根材２の山部Ｙを覆うカバー材山部１３と、谷部Ｔを覆うカバー材谷部１４とが形成されている。
カバー材山部１３は既存折版屋根材２の山部Ｙに沿う形状の山形をしており、頂部は、既存折版屋根材２のはぜ部分を覆うため突出している。
また、カバー材谷部１４は、既存折版屋根材２の谷部Ｔに沿う平面になっている。この実施例の既存折版屋根材２は谷部Ｔに軒樋用穴Ｂが設けられているので、軒先カバー材１のカバー材谷部１４には、穴Ａが設けられている。既存折版屋根材２に軒先カバー材１を被せたときに、既存折版屋根材２の軒樋用穴Ｂに軒先カバー材１の穴Ａが重なるように設けられている。
そして、軒先カバー材１の軒側の端部には、裏面側に折り返されて形成された折り返し部１１が設けられている。この折り返し部１１は、既存折版屋根材２の軒側の端部に引っ掛かるように形成されている。
軒先カバー材１の流れ方向幅は、作業者が乗って作業することができる幅を有している。
【００１９】
このように構成された軒先カバー材１を、既存折版屋根材２の軒先部分に被せる。
この被せる作業をする際、作業者は既存の折版屋根にのぼり、命綱等で安全を確保する。そして、既存折版屋根材２の軒側の端部に軒先カバー材１の折り返し部１１を引っ掛けて、カバー材山部１３が山部Ｙの上に、カバー材谷部１４が谷部Ｔの上に、それぞれ位置するように軒先カバー材１を既存折版屋根材２の上に置く。
軒先カバー材１は、既存折版屋根材２の形状とほとんど同じ形状のため、カバー材谷部１４は谷部Ｔに載り、カバー材谷部１４の高さは谷部Ｔの高さとほとんど同じ高さになる。既存折版屋根材の軒樋用穴Ｂに軒先カバー材の穴Ａを重ねて被せる。
そして、軒先カバー材１を固定するが、この固定する方法は、既存折版屋根材のタイプによって異なる。既存折版屋根材は、重ね形折版屋根やはぜ締め形折版屋根、嵌合形折版屋根等、様々な形状があるので、そのタイプに合わせて周知の方法で固定すればよい。
例えば、本実施例のようなはぜ締め形折版屋根の場合、軒先カバー材１の頂部は、既存折版屋根材２のはぜ部分を覆うため突出している。この部分を、図３のように、全体にわたって締め機で締めてもよいし、あるいは、所々、締め機で締めたりしてもよい。既存折版屋根材のタイプと施工現場の状況に合わせて、適宜、周知の技術を用いて固定する。
このように、既存の折版屋根に軒先カバー材１を取り付ける際、一般的な折版屋根は勾配が緩いので、既存の折版屋根にのぼり命綱等で安全を確保することで、足場を使わずに作業することができる。
また、軒先カバー材１の穴Ａと既存折版屋根材２の軒樋用穴Ｂが重なっているので、雨水は軒樋用穴Ｂから軒樋に流れ込む。このため、既存の軒樋をそのまま利用することができるものである。
【００２０】
その後、作業者は、既存の折版屋根の軒先カバー材１が固定されている箇所に移り、既存の折版屋根の上に断熱材９を敷いたりして、新設折版屋根材５を葺いていく。軒先カバー材１の流れ方向幅が、作業者が乗って作業することができる幅を有しているので、作業者はこの上に移り、新設折版屋根材５を葺く作業をすることができる。
断熱材９や新設折版屋根材５の葺き方は従来の方法でよく、新設のタイトフレームを既存の折版屋根上から固定したり、軒先カバー材１と新設折版屋根材５の間に開口する部分は、新設の面戸８で覆ったりして施工していく。
このように既存の折版屋根の軒先カバー材が固定されている部分を足場代わりに使うことができるので、新設折版屋根材５を施工するための足場も作る必要が無い。
【００２１】
従来の技術では、改修作業をするに当たり足場を作る必要があったが、足場は改修作業のために一時的に必要なだけで、作業が終われば撤去するものである。この設置及び撤去の作業にも、手間や経費がかかってしまうという問題点があった。
しかし、本実施例に係る二重折版屋根の軒先部の構造を用いて、勾配が緩い一般的な折版屋根を二重折版屋根に改修するならば、前述の通り、足場を作らずに改修作業を行うことができる。
このため、足場設置のための経費も労力も期間も必要なくなるという効果がある。
【００２２】
図５は、この作業をする際に、作業者の安全を一層図るため、アングルＣを取り付けた様子を表す図である。このアングルＣは、落下防止として役立つものであり、足場を使用しないで作業する上で、さらに一役買う。
軒先カバー材１は、既存折版屋根材２の形状とほとんど同じ形状であり、軒先カバー材１のカバー材山部１３の頂部は既存折版屋根材２のはぜ部分を覆うために突出している。前述の通り、一例として、この部分に締め機をかけることで固定する。その結果、軒先カバー材１のカバー材山部１３の頂部は既存折版屋根材２のはぜ部分に固定され、この部分に雪止め金具のような金具を取り付けることができる。
そこで、雪止め金具の構成に手を加え、アングル取り付け金具Ｋを作る。このアングル取り付け金具Ｋを、軒先カバー材１を既存折版屋根材２に固定した後に、軒先カバー材１のカバー材山部１３頂部に取り付る。そして、アングル取り付け金具ＫにアングルＣを取り付ける。
このようにすると、アングル取り付け金具Ｋは、取り付ける必要が生じたときに軒先カバー材１の頂部に取り付けて、アングルＣを設置することができ、必要が無くなったら、アングルＣを取り除いた後、アングル取り付け金具Ｋを外すことができる。
軒先カバー材１のカバー材山部１３が、既存折版屋根材２の山部に沿って該山部を覆う形状であるため、このようにアングル取り付け金具Ｋを取り付けることができるのである。
足場を作らなくても、作業者の安全を一層図ることができるという効果がある。
【００２３】
さらに、図４に見られるように、既存折版屋根材２の軒側の端部に軒先カバー材１の折り返し部１１が引っ掛かっており、軒先カバー材１の折り返し部１１に既存折版屋根材の軒側の端部が包み込まれている。折り返し部１１の端面は既存折版屋根材２の裏側に位置する。
雨水は折り返し部１１の折り曲げられた部分から落ちるので、折り返し部１１の端面は雨水に晒されないですむ構成である。このため、端面が雨に晒されて腐食するという問題を防ぐことができ、その結果長持ちするという効果がある。
既存折版屋根材の軒側の端部が傷んでいても、軒先カバー材１の折り返し部１１に包み込まれるので、見栄えがよくなり、また、補強される効果もある。
【実施例２】
【００２４】
他の実施例について、図６に基づき説明する。この既存の折版屋根は、図２の軒樋の付け方とは異なり、既存の軒樋４が既存の折版屋根の軒側の端部よりも出ているタイプの既存折版屋根を、本発明に係る二重折版屋根の軒先部の構造を用いて二重折版屋根に改修する一実施例である。
この既存の折版屋根の場合、既存折版屋根材の谷部から、既存の軒樋に雨水は流れ込んでいた。
【００２５】
前述の実施例は、既存折版屋根材２の軒側の端部に、軒先カバー材１の折り返し部１１をひっかけて固定したときに、既存折版屋根材の軒樋用穴Ｂに軒先カバー材の穴Ａを重ね、軒樋用穴Ｂから雨水が軒樋に流れ込むようにしている。
一方、本実施例は、既存折版屋根材の軒樋用穴Ｂがないので、軒先カバー材の穴Ａもない。この点以外は、前述の実施例と同じ構成である。
軒先カバー材１は、既存折版屋根材２の形状とほとんど同じ形状で、下段の折版屋根材である既存折版屋根材２の山部を覆うカバー材山部１３と、同既存折版屋根材２の谷部Ｔを覆うカバー材谷部１４とが形成されている。このため、既存折版屋根材２の軒側の端部に、軒先カバー材１の折り返し部１１をひっかけて固定すると、カバー材谷部１４は谷部Ｔに載り、カバー材谷部１４の高さは谷部Ｔの高さとほとんど同じ高さになる。
このように構成された本実施例において、雨水は、新設折版屋根材５から軒先カバー材１に流れ落ち、カバー材谷部１４の高さは谷部Ｔの高さとほとんど同じ高さなので、軒先カバー材１のカバー材谷部１４から既存の軒樋４に落ちる。このように既存の軒樋４をそのまま利用できる。
足場を作らずに既存の折版屋根を二重折版屋根に改修することができる点や、既存折版屋根材の軒側の端部が、軒先カバー材１の折り返し部１１に包み込まれるので、見栄えがよくなり、また、補強される効果もある点等も、前述と同様である。
【図面の簡単な説明】
【００２６】
【図１】本発明軒先カバー材の一部切り欠き斜視図である。（実施例１）
【図２】本発明の説明図である。（実施例１）
【図３】本発明の斜視図である。（実施例１）
【図４】図３の一部拡大説明図である。（実施例１）
【図５】本発明の説明図であり、施工時のアングルを取り付けた様子の例を示す図である。（実施例１）
【図６】本発明の斜視図である。（実施例２）
【図７】従来の技術を示す図である。
【図８】従来の技術を示す図である。
【図９】従来の技術を示す図である。
【図１０】従来の技術を示す図である。
【図１１】従来の技術を示す図である。
【図１２】従来の技術を示す図である。
【符号の説明】
【００２７】
１    軒先カバー材
１１  折り返し部
１３  カバー材山部
１４  カバー材谷部
２    既存折版屋根材
２a   下段の折版屋根材
２ｂ  既設屋根材
２ｃ  折版屋根材
３    既存の面戸
４    既存の軒樋
４a  軒樋
５    新設折版屋根材
５a  上段の折版屋根材
８    新設の面戸                    
９    断熱材
Ａ    穴
Ｂ    軒樋用穴
Ｃ    アングル
Ｔ    谷部
Ｎ    軒先包み
Ｙ    山部
Ｋ    アングル取り付け金具Ｋ
【図１】
2005336724.tif 000003
【図２】
2005336724.tif 000004
【図３】
2005336724.tif 000005
【図４】
2005336724.tif 000006
【図５】
2005336724.tif 000007
【図６】
2005336724.tif 000008
【図７】
2005336724.tif 000009
【図８】
2005336724.tif 000010
【図９】
2005336724.tif 000011
【図１０】
2005336724.tif 000012
【図１１】
2005336724.tif 000013
【図１２】
2005336724.tif 000014
【手続補正書】
【提出日】平成16年5月31日(2004.5.31)
【手続補正１】
【補正対象書類名】明細書
【補正対象項目名】００１６
【補正方法】変更
【補正の内容】
【００１６】
一方、図１０に示されている軒先部の構造を用いて折版屋根を二重折版屋根に改修すると、前述の通り、軒先包みＮの下辺を既存折版屋根材に、止着具等で固定する必要があり、この作業を行なうためには足場を作らなくてはならない。
本発明に係る二重折版屋根の軒先部の構造は、軒先カバー材が下段の折版屋根材の山部と谷部に沿って該山部と谷部を覆う形状であり、その軒側の端部に折り返し部が設けられ、これが下段の折版屋根材の軒側の端部に引っ掛かるため、折り返し部を止着具等で固定する必要はないのである。
したがって、図１０の従来の技術のように、軒先包みＮの下辺を既存折版屋根材に止着具等で固定する作業を必要とせず、そのための足場が必要になることもない。
【手続補正２】
【補正対象書類名】明細書
【補正対象項目名】００２７
【補正方法】変更
【補正の内容】
【００２７】
１    軒先カバー材
１１  折り返し部
１３  カバー材山部
１４  カバー材谷部
２    既存折版屋根材
２a   下段の折版屋根材
２ｂ  既設屋根材
２ｃ  折版屋根材
３    既存の面戸
４    既存の軒樋
４a  軒樋
５    新設折版屋根材
５a  上段の折版屋根材
８    新設の面戸                    
９    断熱材
Ａ    穴
Ｂ    軒樋用穴
Ｃ    アングル
Ｔ    谷部
Ｎ    軒先包み
Ｙ    山部
Ｋ    アングル取り付け金具
【手続補正３】
【補正対象書類名】図面
【補正対象項目名】全図
【補正方法】変更
【補正の内容】
【図１】
2005336724.tif 000015
【図２】
2005336724.tif 000016
【図３】
2005336724.tif 000017
【図４】
2005336724.tif 000018
【図５】
2005336724.tif 000019
【図６】
2005336724.tif 000020
【図７】
2005336724.tif 000021
【図８】
2005336724.tif 000022
【図９】
2005336724.tif 000023
【図１０】
2005336724.tif 000024
【図１１】
2005336724.tif 000025
【図１２】
2005336724.tif 000026